(57)【特許請求の範囲】
【請求項１】
引き出し式扉の収納容器にペットボトル等の飲料容器を収納する冷蔵庫の引き出し容器の構造であって、
前記収納容器の前部に前記飲料容器を載置するための収納凹部を設け、
前記収納凹部の底面の形状を、前記飲料容器が前記収納容器の前面に倒れかかるような形状に設け、
前記収納凹部の前端部から立ち上がっている前面が、途中まで垂直に立ち上がった後、途中で前方に屈曲し、上方ほど前方に傾斜している
ことを特徴とする冷蔵庫の引き出し容器の構造。
【請求項２】
前記収納凹部の底面を前方ほど下方へ傾斜させたことを特徴とする請求項１記載の冷蔵庫の引き出し容器の構造。
【請求項３】
前記収納凹部の底面を階段状に形成し、その階段は前方ほど低くなるようにしたことを特徴とする請求項１記載の冷蔵庫の引き出し容器の構造。
【請求項４】
前記収納凹部の底面にリブを立設し、そのリブの上端部を前方ほど下方へ傾斜させたことを特徴とする請求項１記載の冷蔵庫の引き出し容器の構造。
【発明の詳細な説明】
【０００１】
【発明の属する技術分野】
本発明は、冷蔵庫におけるペットボトル等の冷蔵庫の引き出し容器の構造に関するものである。
【０００２】
【従来の技術】
最近、ペットボトル等の飲料容器が普及し、それを冷蔵庫に収納する構造が必要になってきている。そのため、従来より、冷蔵庫における野菜室の収納容器に飲料容器を収納する構造が設けられている。
【０００３】
すなわち、図６に示すように、冷蔵庫の野菜室は引き出し式の扉になっており、この引き出し式の扉には野菜を収納するための収納容器１００が設けられている。この収納容器１００の前端部には収納凹部１０２が設けられ、この位置に飲料容器１を収納する構造となっている。
【０００４】
【発明が解決しようとする課題】
しかしながら上記の構造においては、引き出し式の扉を開け閉めする際に飲料容器１が倒れないようにするために、収納凹部１０２の上方には、転倒防止用の固定金具１０４が設けられている。そのため、コストが上がるという問題点があった。
【０００５】
したがって、本発明は上記問題点に鑑み、固定具等の特別な部品を用いることなく収納容器に飲料容器を確実に収納することができる冷蔵庫における冷蔵庫の引き出し容器の構造を提供するものである。
【０００６】
【課題を解決するための手段】
請求項１の発明は、引き出し式扉の収納容器にペットボトル等の飲料容器を収納する冷蔵庫の引き出し容器の構造であって、前記収納容器の前部に前記飲料容器を載置するための収納凹部を設け、前記収納凹部の底面の形状を、前記飲料容器が前記収納容器の前面に倒れかかるような形状に設け、前記収納凹部の前端部から立ち上がっている前面が、途中まで垂直に立ち上がった後、途中で前方に屈曲し、上方ほど前方に傾斜していることを特徴とする冷蔵庫の引き出し容器の構造である。
【０００７】
請求項２の発明は、前記収納凹部の底面を前方ほど下方へ傾斜させたことを特徴とする請求項１記載の冷蔵庫の引き出し容器の構造である。
【０００８】
請求項３の発明は、前記収納凹部の底面を階段状に形成し、その階段は前方ほど低くなるようにしたことを特徴とする請求項１記載の冷蔵庫の引き出し容器の構造である。
【０００９】
請求項４の発明は、前記収納凹部の底面にリブを立設し、そのリブの上端部を前方ほど下方へ傾斜させたことを特徴とする請求項１記載の冷蔵庫の引き出し容器の構造である。
【００１１】
本発明の冷蔵庫の引き出し容器の構造であると、収納容器の前部に設けられた収納凹部の底面の形状を、飲料容器が収納容器の前面に倒れかかるようにしているため、引き出し式の扉を開け閉めした際にも飲料容器が収納容器の前面にもたれかかり、飲料容器が倒れることがない。また、収納凹部の前部を上方ほど前方へ傾斜させているため、飲料容器がこの前面に倒れかかるように載置した場合に、収納容器の空間容積を大きく取ることができる。
【００１２】
請求項２の冷蔵庫の引き出し容器の構造であると、収納凹部の底面を前方ほど下方へ傾斜させるようにして、この底面に飲料容器を載置した場合に収納容器の前面に倒れかかるようにしている。
【００１３】
請求項３の冷蔵庫の引き出し容器の構造であると、収納凹部の底面を階段状に形成し、その階段は前方ほど低くなるようにしているため、この収納凹部の底面に飲料容器を載置した場合に収納容器の前面に倒れかかるようにしている。
【００１４】
請求項４の冷蔵庫の引き出し容器の構造であると、収納凹部の底面にリブを立設し、そのリブの上端部を前方ほど下方へ傾斜させるようにして、収納凹部の底面に飲料容器を載置すると収納容器の前面に倒れかかるようにしている。
【００１６】
【発明の実施の形態】
以下、本発明の一実施例を示す冷蔵庫１０の飲料容器１の収納構造について説明する。
【００１７】
（第１の実施例）
第１の実施例の飲料容器１の収納構造について図１〜図３に基づいて説明する。
【００１８】
まず、本実施例の冷蔵庫１０の全体の構造について説明する。
【００１９】
図３は本実施例の冷蔵庫１０の縦断面図である。
【００２０】
この図に示すように、冷蔵庫１０は上方から順番に冷蔵室１２、野菜室１４、製氷室１６、冷凍室１８を有している。
【００２１】
そして、この野菜室１４は、引き出し式の扉２２を有している。
【００２２】
扉２２は、その背面から一対の腕部が突出し、この一対の腕部が野菜室１４の両側壁に設けられたレールに沿って移動可能となっている。この一対の腕部には、野菜を収納するための収納容器２４が設けられている。
【００２３】
図１は、野菜室１４内部に収納容器２４が配された状態の縦断面図である。
【００２４】
図２は、収納容器２４の斜視図である。
【００２５】
野菜室１４の天井面は、冷蔵室１２とを区画するための仕切板３２が設けられ、底面は製氷室１６及び切替室２０と断熱的に仕切るための断熱部３４が設けられている。また、野菜室１４の背面には、冷却空間２６が設けられ、蒸発器２８とファン３０が設けられている。
【００２６】
収納容器２０の上面には、果物等を収納するための小ケース３６が設けられている。
【００２７】
さらに、収納容器２４と小ケース３６の開口した上面を覆うためのクリスパカバー２８が仕切板３２の下方に設けられている。扉２２を前方に引き出した場合には、クリスパカバー３８は野菜室１４の天井面に残り、収納容器２４と小ケース３６のみが前方に引き出される。
【００２８】
冷気の流れとしては、蒸発器２８で冷却された空気がファン３０によって前方に吹き出され、クリスパカバー３８の上方を通って前方に流れる。そして、この冷気は収納容器２４の前部から下方に流れ、収納容器２４の底面に沿って流れ、蒸発器２８の下方に循環するものである。
【００２９】
次に、収納容器２４の構造について説明する。
【００３０】
収納容器２４は合成樹脂製であって、図２に示すように、収納容器２４の底面４０の右側には、飲料容器１を収納するための収納凹部４２が設けられている。この収納凹部４２の底面４４は、前方ほど下方に傾斜している。この収納凹部４２の前端部から立ち上がっている前面４６は、途中までほぼ垂直に立ち上がった後、途中で前方に屈曲し、上方ほど前方に傾斜している。したがって、この収納凹部４２の位置にある前面４６は、収納容器１４の左側の位置にある前面４８よりも前方に突出している。前面４８の上端部にはフランジ５０が設けられ、このフランジ５０には、冷気を流すための開口部５２が複数設けられている。さらに、収納凹部４２の後面の上端からは前方に向かって突部４３が突出し、飲料容器１が後方に倒れるのを防止している。
【００３１】
なお、この収納凹部４２の位置に飲料容器１を入れるため、小ケース３６はこの部分だけ切欠かれているように形成されている。
【００３２】
上記構成の収納容器２４に飲料容器１を収納する場合について説明する。
【００３３】
飲料容器１を収納凹部４２に収納すると、収納凹部４２の底面４４が傾斜しているため、図１に示すように飲料容器１は上方ほど前方に傾き、前面４６に倒れかかる。そのため、扉２２を開け閉めしても、飲料容器１が倒れたりすることがないので、従来のように固定金具を特別に設ける必要がない。
【００３４】
飲料容器１の上部が前方に傾斜しているため、その傾斜分だけ収納容器２４に収納できる容積を大きくすることができる。
【００３５】
クリスパカバー３８から開口部５２を経て流れた冷気が、図２に示すように前面４６の下部に流れ、その位置から収納容器２４の底面に流れる。したがって、この位置に収納されている飲料容器１も他の部分と同様に冷却するできる。
【００３６】
飲料容器１が上方ほど前方に傾いているため、収納容器２４から取り出しやすくなっている。
【００３７】
（第２の実施例）
次に、図４に基づいて、飲料容器１の収納構造の第２の実施例について説明する。
【００３８】
本実施例と第１の実施例の異なる点は、収納凹部４２の底面４４の構造にある。
【００３９】
本実施例では、底面４４を傾斜させるのでなく、底面４４にリブ５４を立設している。このリブ５４は、図４に示すように上端部は前方ほど下方に傾斜しており、飲料容器１を収納凹部４２に載置した場合に上方ほど前方に傾く。
【００４０】
そして、本実施例の構造であると、収納凹部４２の底面４４がリブ５４によって強度的に補強されているため、収納容器２４の前部が飲料容器１を載置しても下方に傾くことがない。したがって、従来、図６に示すように、収納容器１００の底面１０６と断熱部１０８の隙間Ｓ１を大きくとる必要があったが、本実施例においては、収納容器２４と断熱部３４との隙間Ｓ２を、従来の隙間Ｓ１よりも小さくすることができる。そのため、収納容器２４を大きくすることができ、空間容積を大きくすることができる。
【００４１】
（第３の実施例）
次に、飲料容器１の収納構造の第３の実施例について、図５に基づいて説明する。
【００４２】
本実施例と第１の実施例の異なる点は、収納凹部４２の底面４４の構造にある。
【００４３】
本実施例では底面４４に階段部５６を作り、この階段部５６の各階段は前方ほど低くなるように形成されている。そのため、飲料容器１を載置した場合に、図５に示すように上方ほど前方に傾く。
【００４４】
また、本実施例においても、この階段部５６が収納凹部４２の底面４４の強度を補強する構造となっているため、第２の実施例と同様に、断熱部３４と収納容器２４との隙間Ｓ２を小さくすることができ、収納容器２４の空間容積を大きくすることができる。
【００４５】
（変更例）
上記各実施例では、収納容器２４の前面４６は上方ほど前方に傾斜させたが、これに限らずほぼ垂直に立設した状態であってもよい。
【００４６】
【発明の効果】
以上により本発明の冷蔵庫の引き出し容器の構造であると、飲料容器１が収納構造の前面に倒れかかるように載置されているため、引き出し式の扉を開け閉めしても、飲料容器が倒れることがない。そのため、従来のように特別な部品を使用することがなくコストの削減となる。
【図面の簡単な説明】
【図１】本発明の第１の実施例を示す野菜室の縦断面図である。
【図２】同じく収納容器の斜視図である。
【図３】冷蔵庫の縦断面図である。
【図４】第２の実施例の収納容器の縦断面図である。
【図５】第３の実施例の収納容器の縦断面図である。
【図６】従来の収納容器の縦断面図である。
【符号の説明】
１  飲料容器
１０  冷蔵庫
２２  引き出し式扉
２４  収納容器
４２  収納凹部
４４  底面
４６  前面
【図１】
0003824841.tif 000002
【図２】
0003824841.tif 000003
【図３】
0003824841.tif 000004
【図４】
0003824841.tif 000005
【図５】
0003824841.tif 000006
【図６】
0003824841.tif 000007